(57)【要約】  【課題】  本発明では、同一パターンとなるように形成された２つのパターンの対応する領域の画像を比較して画像の不一致部を欠陥と判定するパターン検査装置において、膜厚の違いなどから生じるパターンの明るさむらの影響を低減して、高感度なパターン検査を実現する。また、多種多様な欠陥を顕在化でき，広範囲な工程への適用が可能なパターン検査装置を実現する。  【解決手段】  上記課題を解決するために、本発明では、同一パターンとなるように形成された２つのパターンの対応する領域の画像を比較して画像の不一致部を欠陥と判定するパターン検査装置を、複数の検出系とそれに対応する複数の画像比較処理方式を備えて構成した。  また、パターン検査装置を、異なる複数の処理単位で比較画像間の画像信号の階調を変換する手段を備えて構成し、画像間の同一パターンで明るさの違いが生じている場合であっても、正しく欠陥を検出できるようにした。【選択図】  図１
2005321237.tif 000002
【特許請求の範囲】
【請求項１】
試料上の同一パターンとなるように形成された２つのパターンの対応する領域を斜方からと上方からとそれぞれの照明光量比を調整して照明して検出した画像を撮像し、該撮像して得た画像を処理して欠陥を検出するパターン検査方法であって、複数の画像処理アルゴリズムの中から前記調整した光量比に対応する画像処理アルゴリズムを選択して前記検出した画像を処理することにより欠陥を検出して分類し,該分類した結果を画面上に表示することを特徴とするパターン検査方法。
【請求項２】
請求項１記載のパターン検査方法であって、
前記試料を照明する斜方からと上方からとそれぞれの照明光の光量比を、試料の品種，パターン密度，パターンの方向，検出したい欠陥の種類などに応じて調整することを特徴とするパターン検査方法。
【請求項３】
請求項１記載のパターン検査方法であって、前記複数の画像処理アルゴリズムは、前記照明光量比に対応する複数の画像比較処理アルゴリズムと複数の欠陥分類アルゴリズムとをそれぞれ組合わせて用いることを特徴とするパターン検査方法。
【請求項４】
請求項１記載のパターン検査方法であって、前記照明光量比の異なる複数の画像をそれぞれに対応する前記画像処理アルゴリズムを用いて処理した結果を照合することを特徴とするパターン検査方法。
【請求項５】
請求項１記載のパターン検査方法であって、前記試料を斜方から照明する光量と上方から照明する光量との光量比を１：０から０：１の範囲で調整することを特徴とするパターン検査方法。
【請求項６】
請求項１記載のパターン検査方法であって、前記画像比較処理アルゴリズムと前記欠陥分類アルゴリズムとの組合せを画面上で指定することを特徴とするパターン検査方法。
【請求項７】
複数の検出系とそれに対応する複数の画像処理方式をもつパターン検査装置であって，
選択された１つ以上の複数個の検出系とそれに対応する画像処理方式により検出，分類された欠陥を並べて表示，もしくは合成して表示することを特徴とするパターン検査装置。
【請求項８】
試料上の同一パターンとなるように形成された２つのパターンの対応する領域の画像を撮像し、比較して画像の不一致部を欠陥と判定するパターン検査方法であって、
比較画像間の位置のずれと明るさのずれを時系列に，もしくは同時に合せ，欠陥を検出することを特徴とするパターン検査方法。
【請求項９】
試料上の同一パターンとなるように形成された２つのパターンの対応する領域の画像を撮像し、比較して画像の不一致部を欠陥と判定するパターン検査方法であって、
被検査画像の多段階で比較画像間の明るさのずれを合せ，欠陥を検出することを特徴とするパターン検査方法。
【請求項１０】
試料上の同一パターンとなるように形成された２つのパターンの対応する領域をそれぞれ斜方から照射する斜方照明部と上方から照明する落射照明部と前記斜方照明部と落射照明部との光量比を調整する光量比調整部とを有する照明手段と，該照明手段で照明された領域からの反射光を結像させる結像光学系手段と、前記照明手段のそれぞれの照明部で照明されて結像された像を撮像する撮像手段と、複数の画像処理アルゴリズムを備えて該複数の画像処理アルゴリズムの中から前記照明手段の光量比調整部で調整した光量比に対応する画像処理アルゴリズムを用いて前記撮像手段で撮像した画像を処理して欠陥を検出して分類する画像処理手段と,該画象処理手段で処理した結果を表示する表示手段とを備えたことを特徴とするパターン検査装置。
【請求項１１】
請求項１０記載のパターン検査装置であって、前記画像処理手段の複数の画像処理アルゴリズムは、前記照明手段の光量比調整部で調整した光量比に対応する画像比較処理アルゴリズムと、前記照明手段の光量比調整部で調整した光量比に対応する欠陥分類アルゴリズムとをそれぞれ複数備えることを特徴とするパターン検査装置。
【請求項１２】
請求項１１記載のパターン検査装置であって、前記画像処理手段は、前記照明手段の光量比調整部で調整した光量比の異なる複数の画像を前記画像比較処理アルゴリズムと前記欠陥分類アルゴリズムとを用いて処理した結果を照合する照合部を更に備えることを特徴とするパターン検査装置。
【請求項１３】
請求項１０記載のパターン検査装置であって、前記照明手段の光量比調整部は、前記試料を照明する前記斜方照明部と落射照明部との光量比を１：０から０：１の範囲で調整することを特徴とするパターン検査装置。
【請求項１４】
請求項１０記載のパターン検査装置であって、前記画像処理手段の前記画像比較処理アルゴリズムと前記欠陥分類アルゴリズムとの組合せを指定する指定手段を更に備えたことを特徴とするパターン検査装置。
【発明の詳細な説明】
【技術分野】
【０００１】
本発明は、光もしくはレーザなどを用いて得られた対象物の画像と、参照画像を比較し、その差異から微細パターン欠陥や異物等の検査に係り、特に半導体ウェハ、ＴＦＴ、ホトマスクなどの外観検査を行うのに好適なパターン検査装置及びその方法に関する。
【背景技術】
【０００２】
検査対象画像と参照画像とを比較して欠陥検出を行う従来の技術としては、特開平０５−２６４４６７号公報に記載の方法が知られている。
【０００３】
これは、繰り返しパターンが規則的に並んでいる検査対象試料をラインセンサで順次撮像し、繰り返しパターンピッチ分の時間遅れをおいた画像と比較し、その不一致部をパターン欠陥として検出するものである。このような従来の検査方法を半導体ウェハの外観検査を例に説明する。検査対象となる半導体ウェハには図６に示すように同一パターンのチップが多数、規則的に並んでいる。各チップは図７に示すようにメモリマット部７１と周辺回路部７２に大別することができる。メモリマット部７１は小さな繰り返しパターン（セル）の集合であり、周辺回路部７２は基本的にランダムパターンの集合である。一般的にはメモリマット部７１はパターン密度が高く、明視野照明光学系で得られる画像は暗くなる。これに対し、周辺回路部７２はパターン密度が低く、得られる画像は明るくなる。
【０００４】
従来の外観検査では、隣接する２つのチップの同じ位置、例えば図６の領域６１と領域６２等での画像を比較し、その差異を欠陥として検出する。このとき、ステージの振動や対象物の傾きなどがあり、２枚の画像の位置が合っているとは限らないため、センサで撮像した画像と、繰り返しパターンピッチ分の遅延された画像の位置ずれ量を求め、求められた位置ずれ量に基づき２枚の画像の位置合わせを行った後、画像間の差をとり、差が規定のしきい値よりも大きいときに欠陥と，小さいときは非欠陥と判定する。
【０００５】
【特許文献１】特開平０５−２６４４６７号公報
【発明の開示】
【発明が解決しようとする課題】
【０００６】
比較検査における２枚の画像の位置合わせでは，画像内のエッジ部を，位置ずれ量演算の１つの情報とし，画像内のパターン間のずれが最小になるように位置ずれ量を算出するのが一般的である。実際には正規化相互相関を用いる方法，残差の総和を用いる方法などが提案されている。
【０００７】
また、検査対象となる半導体ウェハではＣＭＰなどの平坦化によりパターンに膜厚の微妙な違いが生じ、チップ間の画像には局所的に明るさの違いがある。例えば、図４（ａ）の４１は検査対象画像，図４（ｂ）の４２は参照画像の一例であり、図４（ａ）の４ａ、図４（ｂ）の４ｂに示すように検査対象画像と参照画像の同一のパターンで明るさの違いが生じている。また、検査対象画像図４（ａ）の４１には欠陥４ｄがある。この場合の差画像は図４（ｃ）のようになる。差画像とは検査対象画像と参照画像の対応する各位置での差分に応じて濃淡差表示した画像のことである。位置１Ｄ−１Ｄ‘での差の波形は図４（ｄ）のようになっている。このような画像に対し、従来方式のように、差分値が特定のしきい値ＴＨ以上となる部分を欠陥とするならば、明るさの異なるパターン４ａと４ｂの差分値４ｃは、欠陥として検出されることになる。これは本来、欠陥として検出されるべきものではない。つまり虚報である。従来、図４（ｃ）の４ｃのような虚報発生を避けるための１つの方法として、しきい値ＴＨを大きくしていた（図４（ｄ）ＴＨ→ＴＨ２）。しかし、これは感度を下げることになり、同程度以下の差分値の欠陥４ｄは検出できない。
【０００８】
また、膜厚の違いによる明るさの違いは、図６に示した配列チップのうち、ウェハ内の特定チップ間でのみ生じる場合や、チップ内の特定のパターンでのみ生じる場合があるが、これらのローカルなエリアにしきい値ＴＨを合わせてしまうと全体の検査感度を著しく低下させることになる。
【０００９】
さらに，図４に示したように一部のパターンで薄膜干渉による明るさの違いが大きい場合，正規化相互相関を用いる方法，残差の総和を求める方法のいずれの場合も正しい位置ずれ量が算出できない可能性がある。
【００１０】
一方，欠陥は，その材質，表面粗さ，サイズ，深さなど対象に依存したファクタと，照明条件など検出系に依存したファクタとの組合せにより顕在化が不可能な場合がある。
【００１１】
本発明の目的は、このような従来検査技術の問題を解決して、同一パターンとなるように形成された２つのパターンの対応する領域の画像を比較して画像の不一致部を欠陥と判定するパターン検査装置において、膜厚の違いなどから生じるパターンの明るさむらの影響を低減し、高感度なパターン検査を実現することにある。
【００１２】
また、切替え可能な複数の検出系ユニットをもち，対象や着目する欠陥に応じて検出系を選択し，それ応じた比較検査方式により検査を行うことにより，より多様な欠陥に対応できる高感度なパターン検査を実現することにある。
【課題を解決するための手段】
【００１３】
上記目的を達成するために、本発明では、同一パターンとなるように形成された２つのパターンの対応する領域の画像を比較して画像の不一致部を欠陥と判定するパターン検査装置を、切替え可能な複数の異なる検出系とそれに応じた複数の画像比較処理方式と複数の欠陥分類方式を備えて構成した。１つ以上の検出系の選択は，それに対応する画像比較処理方式，欠陥分類方式の検出性能も加味して行われる。これにより，最適な条件の選択が可能となり，多種の欠陥を検出できるようにした。
【００１４】
また，パターン検査装置を異なる複数の処理単位で比較画像間の画像信号の階調を変換する手段を備えて構成した。これにより、検査対象が半導体ウェハで、ウェハ内の膜厚の違いや、照明光量変動、イメージセンサの画素毎の感度ばらつき、光量蓄積時間むらなどにより画像間の同一パターンで明るさの違いが生じている場合であっても、正しく欠陥を検出できるようにした。
【００１５】
更に，比較画像間の位置のずれと明るさのずれを順次合せる手段と，同時に合せる手段を備えて構成した。これにより，ウェハ内の膜厚の違いにより強い明るさの違いが画像間の特定パターンで生じている場合であっても、位置のずれを高精度に検出できるようにした。また，位置のずれが画像間に生じている場合であっても，明るさのずれを高精度に検出できるようにした。
【発明の効果】
【００１６】
本発明によれば、複数の検出系に対応した複数の画像比較処理，並びに分類処理をもつことにより、高感度検査を実現するとともに，多様な欠陥の検出が可能となる。
【００１７】
また、チップ間の膜厚の違い、ステージ速度むらによる蓄積光量の違い、照明変動など様々な要因により発生するチップ間の明るさの違い（色むら）等によって生じる比較する画像間の明るさの違いを、異なる複数の方式で明るさを合わせ込むことにより、強い明るさむらの中に埋没した微弱信号の欠陥を顕在化し、検出することが可能となる。
【００１８】
更に，色むらにロバストな位置ずれ量の算出を行うことにより，より高感度な検査が可能となる。
【発明を実施するための最良の形態】
【００１９】
以下、本発明の一実施例を図１から図３３により、詳細に説明する。
【００２０】
実施例として、半導体ウェハを対象とした光学式外観検査装置における欠陥検査方法を例にとると、図１は装置の構成の一例を示したものである。１１は試料（半導体ウェハなどの被検査物）、１２は試料１１を搭載し、移動させるステージ、１３は検出部である。この検出部１３は、試料１１を照射する光源１０１、光源１０１から出射した光を集光する照明光学系１０２、照明光学系１０２で集光された照明光で試料１１を照明し、反射して得られる光学像を結像させる対物レンズ１０３、結像された光学像を受光し、明るさに応じた画像信号に変換するイメージセンサ１０４，イメージセンサ１０４からの入力信号をデジタル信号に変換するＡＤ変換部１０５で構成される。
【００２１】
ここで、光源１０１として、図１に示した例では、ランプを用いた場合を示しているが、レーザを用いても良い。また、光源１０１から発した光の波長としては短波長であっても良く、また、広帯域の波長の光（白色光）であってもよい。短波長の光を用いる場合、検出する画像の分解能を上げる（微細な欠陥を検出する）ために、紫外領域の波長の光（Ｕｌｔｒａ  Ｖｉｏｌｅｔ  Ｌｉｇｈｔ：ＵＶ光）を用いることもできる。レーザを光源として用いる場合、それが単波長のレーザである場合には、図示していない可干渉性を低減する手段を備える必要がある。
【００２２】
また、イメージセンサ１０４に複数の１次元イメージセンサを２次元に配列して構成した時間遅延積分型のイメージセンサ（Ｔｉｍｅ  Ｄｅｌａｙ  Ｉｎｔｅｇｒａｔｉｏｎ  Ｉｍａｇｅ  Ｓｅｎｓｏｒ：ＴＤＩイメージセンサ）を採用し、ステージ１３の移動と同期して各１次元イメージセンサが検出した信号を次段の１次元イメージセンサに転送して加算することにより、比較的高速で高感度に検出することが可能になる。
【００２３】
１４は、画像編集部で，検出部１３で検出された画像のデジタル信号に対してシェーディング補正、暗レベル補正等の画像補正を行う前処理部１０６、比較対象となる参照画像のデジタル信号を格納しておく画像メモリ１０７で構成される。
【００２４】
１５は、試料であるウェハ内の欠陥候補を算出する画像比較処理部であって，画像編集部１４の画像メモリ１０７に記憶された2枚の画像（検出画像と参照画像）を比較し，差がしきい値より大きい部分を欠陥とする。まず、画像メモリ１０７に記憶された検出画像と参照画像のデジタル信号を読み出し、補正量算出部１０８で位置，及び明るさを合わせるための補正量を算出し、画像比較部１０９で算出された位置と明るさの補正量を用いて、検出画像と参照画像の画像信号の対応する位置での明るさの比較を行い、差分値が特定のしきい値より大きい部分を欠陥候補として出力する。パラメータ設定部１１０は、差分値から欠陥候補を抽出する際のしきい値などの画像処理パラメータを設定し、画像比較部１０９に与える。そして欠陥分類部１１１にて，各欠陥候補の特徴量から真の欠陥を抽出し，分類を行う。
【００２５】
１６は全体制御部で、ユーザからの検査パラメータ（画像比較で用いられるしきい値など）の変更を受け付けたり、検出された欠陥情報を表示したりする表示手段と入力手段を持つユーザインターフェース部１１２、検出された欠陥候補の特徴量や画像などを記憶する記憶装置１１３、各種制御を行うＣＰＵ(全体制御部１６に内臓)で構成される。１１４は、全体制御部１６からの制御指令に基づいてステージ１２を駆動するメカニカルコントローラである。尚、画像比較処理部１５、検出部１３等も全体制御部１６からの指令により駆動する。
【００２６】
検査対象となる半導体ウェハ１１は、図６に示すように同一パターンのチップが多数、規則的に並んでいる。図１の検査装置では、全体制御部１６では試料である半導体ウェハ１１をステージ１２により連続的に移動させ、これに同期して、順次、チップの像を検出部１３より取り込み、隣接する２つのチップの同じ位置、例えば図６の領域６１と領域６２とのデジタル画像信号をそれぞれ検出画像及び参照画像として上記手順で比較し、欠陥を検出する。
【００２７】
ここで、本実施例の検査装置の検出部１３では、切替え可能な複数の検出系を持つ。図２は検出部１３の詳細を示す図である。
【００２８】
光源１０１から発射した光は、擬似連続化光学系３２１０を通って光量を時間的に平均化またはほぼ平準化され，光路分岐光学系２３に入射する。光源１０１はレーザであって、発射される光は紫外光（ultra violet light：UV光, deep ultra violet light：DUV光 など）または可視光である。光路分岐光学系２３に入射した光は、偏光手段２３０２で偏光の状態を調整され、偏光ビームスプリッタ２３０１で２つの光路２６０１と２６０２とに分岐される。偏光手段２３０２は、例えば回転可能な１／２波長板で構成されていて、１／２波長板の回転角度に応じて透過する光のＰ偏光とＳ偏光との光量の割合を１：０から０：１の範囲で調整できる。光路２６０１に分岐された光は、ビーム形成光学系２０１に入射し，ビーム径の調整や照度分布の調整が行われ，ミラー２０２で折り曲げられて干渉性低減光学系２０３に入射し，時間的・空間的な干渉性が低減される。干渉性低減光学系２０３から射出した該照明光は変形照明光学系２０で対物レンズ１０の瞳位置での照度分布が変形され，偏光ビームスプリッタ２７でＳ偏光成分が対物レンズ１０３側に反射し，光変調ユニット２１および対物レンズ１０３を介してウェハ１１を照射する。以下では本光路にて照射された照明光，つまり対物レンズ１０３を通して照射された照明光を明視野照明と呼ぶものとする。
【００２９】
このように、光路２６０１に分岐された光を変形照明光学系２０で，対物レンズ１０３の瞳位置における照明光の照度分布を複数種に変化させることにより，様々なプロセスウェハに対応可能な照明を行う。これは例えば，光軸断面で光の透過率を変えたフィルタでも良く，光軸を中心に点対称に配置した4光束又は8光束を形成する光学素子でも良く、更に、ビームを揺動できる素子を用いてビーム位置を変化させても良い。ビームを揺動できる素子とは，例えばガルバノミラーや半導体共振ミラーである。これらは切替え可能である。
【００３０】
一方、ビームスプリッタ２３０１で光路２６０２に分岐された光は、干渉性低減光学系２０３を透過した後、偏光暗視野照明光学系Ａ２４に入ってパーシャルミラー２４０１で２光路に分岐され、一方は光学素子２４０３及び２４０５を透過して偏光暗視野照明光学系Ｂ２５に入り、他方は、全反射ミラー２４０２で反射して光学素子２４０３及び２４０５を透過して偏光暗視野照明光学系Ｂ２５に入る。偏光暗視野照明光学系Ｂ２５に入ったそれぞれの光は、光学素子２５０１，２５０２を透過してミラー２５０３および２５０４で反射されてウェハ１１の表面を斜め方向から照射する。
光路２６０１および２６０２を通ってウェハ１１に照射されたそれぞれの光による反射光のうち、対物レンズ１０３で集光された光は、光変調ユニット２１、偏光ビームスプリッタ２７、光変調ユニット２２を透過してイメージセンサ１０４の検出面上に結像され、この結像した光学像がイメージセンサ１０４で検出され、検出信号はＡ／Ｄ変換器１０５でデジタル信号に変換されて検出部１３から出力される。ここで、イメージセンサ１０４からは、複数の検出信号が並列に出力され、Ａ／Ｄ変換器１０５で並列に出力された複数の検出信号をＡ／Ｄ変換して並列に出力する。
【００３１】
ここで、光変調ユニット２１は，照明光およびウェハ１１からの反射光の光量や位相を制御するためのものである。例えば，ウェハ１１から反射される０次回折光と高次回折光の光量比を調整し，イメージセンサ１０４で検出される回路パターン信号のコントラストを向上させる。または，偏光微分干渉により回路パターンのコントラストを向上させる。ここで，前記０次回折光と高次回折光の光量比を調整するためには，１／２波長板と１／４波長板を組み合わせて光の振動方向を変化させることにより実現できる。また偏光微分干渉は，複屈折プリズムを用いることにより実現できる。ノマルスキー型のプリズムを１個用いた偏光微分干渉光学系による物理的な現象は，一般的な微分干渉顕微鏡と同様である。これらも切替え可能である。
【００３２】
また、上記した光変調ユニット２２は，対物レンズ１０３の瞳位置と共役な位置に設置し，瞳位置での光学的な変調を行う。例えば，石英等の透明基板の中央部に誘電体膜を蒸着した構成の物を設置し，該誘電体膜部分の透過率を変えることによってイメージセンサ１０４で検出される光を変調する。なお，誘電体膜の代わりに金属等で遮光したユニットを用いても良い。これらも切替え可能である。
【００３３】
更に、偏光暗視野照明光学系２４および偏光暗視野照明光学系２５は，対物レンズ１０３の外側からウェハ１１に照明光を照射する。偏光暗視野照明光学系２４に入射した光路２６０２は，光路分岐するパーシャルミラー２４０１と，全反射ミラー２４０２を備えて構成されている。一方，光路分岐光学系２３で光路２６０１に分岐された照明光，つまり対物レンズ１０３を通して照射された照明光を明視野照明と呼ぶ。
【００３４】
以上説明したような光変調ユニットや変形照明，暗視野照明を明視野照明と同時照射等の機能を有することにより，検査対象に最適な光学系を選択し，最適な検査が可能となる。
【００３５】
また、画像比較処理部１５も検出系に対応した複数の処理方式で構成される。
【００３６】
図３に、画像比較処理部１５の構成を示す。画像比較処理部１５では，画像の編集，位置補正係数，明るさ補正係数の算出方法などの各機能について，それぞれ複数の方式（図３に示した例では、１５０１〜１５０３）をもっており，検出系の組合せが決定すると，それに対応した各機能の最適な組合せとその処理順が決定するようになっている。例えば、１５０１に示した画像比較処理方式では、１０８−１、１０９−１で欠陥候補を抽出し，１１１−１により欠陥を検出し分類する。このとき，画像処理パラメータもそれに対応した値が１１０−１で設定される。
【００３７】
図２６に、各機能の最適な組合せとその処理順の一例として，相関係数による位置補正係数の算出→エッジの高さ方向平滑化（試料１１の高さ方向の微妙な違いが画像に存在する場合の信号量の平滑化）による画像編集→コントラストと明るさを用いた明るさ補正係数の算出の順で比較処理が行われる例を示してあるが，他に，画像編集なし→位置補正係数と明るさ補正係数の一括算出など様々な組合せと演算順序がある。分類についても同様である。
【００３８】
このように，複数の検出系から選択した最適検出条件のもとで被検査試料を撮像し，それに対応する画像比較方式，欠陥分類方式に基いて，画像比較を行うことにより，高感度な検査を実現するとともに，多様な欠陥の検出を可能とする。
【００３９】
ここで，最適な検出系の選択方法を説明すると，図８の８０１に示すようにまず対象となる試料の情報を入力する。半導体ウェハでは，工程，着目エリア（例えば，メモリマット部など），見つけたい欠陥が既知であれば着目欠陥とし，その座標などを教示する。そして検出系を切替えて着目エリア，着目欠陥の画像を撮像し，画像のコントラスト，輝度値，パターンの方向，パターンの密度，欠陥部分とその周囲との輝度値の違い（S/N）などを演算し，図９のように画面上に並べて表示する。図９（ａ）は指定した着目欠陥の各検出系による画像，コントラスト，濃淡差，輝度分布，Ｓ／Ｎを示した例である。図９（ｂ）は着目エリアの各検出系による画像，コントラスト，明るさ，微分値，輝度分布を示した例である。これにより，１つ以上の条件を選択する。条件はユーザが図９のように表示された画像や評価値を見て選択することもできるが，評価値から自動選択することも可能である。そして，選択された検出系に応じて図８の８０２に示すように各検出系に対応した比較方式，分類方式により検査を行う。
【００４０】
図１０は，より詳細な評価から検出系を選択する手順のフローである。まず，検出系を設定し（Ｓ１０１），画像を撮像（Ｓ１０２），検出系に対応する画像比較方式を設定して（S１０３）テスト検査を行う（１０４）。これを数種類（あるいは，全種類）の検出系で行う。そして，検出したい欠陥がいずれかの検出系で見つかっていれば，その座標を指定する（S１０５）。また，ユーザは，メモリマット部など高感度に検査したい領域の座標も指定する（S１０６）。あらかじめ，検出ターゲットとなる欠陥が既知の場合は，このテスト検査は行わなくてよい。そして，各検出系で指定した欠陥，領域の画像を取得し（Ｓ１０７〜Ｓ１０９），図９に示した定量評価値を算出してその結果を表示する（Ｓ１１０）。一方，設定した検出系に対応した画像比較方式でテスト検査を行い，結果を表示する（Ｓ１１１）。そして両者，すなわち，異なる検出系による画像の定量評価値と，異なる画像比較方式による検出性能を加味して最適な条件を１つ以上選択する（Ｓ１１２）。選択の基準として，画像の定量評価値と画像比較方式の性能までを加味した検出結果について，重みを同じにしてもよいし，一方に重みを付けてもよい。これにより，最適な検出系を選択し（Ｓ１１３），それに対応する画像比較方式，分類方式を選択し（Ｓ１１４），選択した全検査条件で検査を行い（Ｓ１１５），選択した全条件を終了した場合には（Ｓ１１６），結果を表示画面上にマップ形式で表示する（Ｓ１１７）。
【００４１】
図１１は，選択された１つ以上の検出系とそれに応じた比較処理方式，分類方式による欠陥検出，分類結果である。複数の検出方式で行った検査結果は１１０１のように検出方式ごとに個別に表示することも可能であるし，１１０２のように各検出方式で行った検出結果の論理積や論理和をとることにより、結果を合成して表示することも可能である。検出結果は検出の有無をマップにそのまま表示しても良いが、１１０１及び１１０２に示したように、分類結果をマップに表示することにより，ユーザはターゲットとする欠陥がどの条件で最もよく検出できるか一目でわかる。
【００４２】
次に画像比較処理部１５における処理の一例を図１３に沿って詳細に説明する。まず、ステージの移動に同期してメモリ１０７に連続して入力される検出画像信号、参照画像信号を読み出す。これら２チップの画像信号は、ステージの振動や、ステージ上にセットされたウェハの傾きにより、全く同じ箇所での信号とはならない。このため、補正量演算部１０８では通常，２つの画像間の位置ずれ量を算出する（Ｓ１０８１）。位置ずれ量の算出はステージの進行方向に特定の長さを一処理単位とし，順次行う。図５の５１，５２，…は長さＤ（画素）を１処理単位とした場合の各処理領域である。以下，この単位の処理領域をユニットと記述する。
【００４３】
このように，ユニット５１とそれに対応する隣接チップのユニットで位置ずれ量を算出し，次にユニット５２とそれに対応する隣接チップのユニットで位置ずれ量を算出する，といったように入力される画像に対して順次ユニット単位で位置ずれ量を算出する。位置ずれ量の算出には画像間の正規化相互相関、画像間の濃淡差の総和、画像間の濃淡差の二乗和などを用いる各種手法があり、そのいずれかを選択する。そして、算出された位置ずれ量に基いて、ユニット単位で２枚の画像の位置合わせを行う（Ｓ１０８２）。次に位置合わせを行った２枚の画像について，明るさのずれを合わせ込むための補正量を２段階で算出する。明るさのずれが生じる要因として、半導体ウェハのチップ間の膜厚の微妙な違い、照明光量の変動などがある。膜厚の微妙な違いによる明るさのずれは半導体ウェハのパターンに依存して生じる。そこで、本発明では、まず，パターンに依存して空間的に連続する領域に発生する明るさむらに対する補正量を算出し（Ｓ１０８３）、次にランダムに発生する明るさむらに対する補正量を算出する（Ｓ１０８４）。これらの階層的に算出される補正量とパラメータ設定部１１０で各検出条件に応じて設定されるしきい値などの画像処理パラメータを用いて画像比較を行う（１０９）。
【００４４】
図１２は領域単位で発生する明るさの違いを合わせ込む処理の流れを示している。位置合せ後の検出画像１２１０と参照画像１２２０とから空間的に連続した領域を抽出し（１２０１）、この抽出した領域ごとに明るさの補正量を算出し（１２０２）、この算出した結果に基いて領域ごとに明るさの補正を行う（１２０３）。
【００４５】
図２８に、本発明により階層的に明るさの補正を行った場合の挙動の一例を示す。検出画像（ａ）には２つの欠陥２７０１（○で囲んだ部分）があるが，欠陥２７０１は帯状の背景パターンよりも明るく，背景パターンと識別可能である。しかし，参照画像（ｂ）の対応するパターン２７０２は欠陥と同等の明るさがあるため，単純に両画像の差を取ると、差画像（ｃ）のように，欠陥部分の差分は小さくなり，検出画像と参照画像との明るさの散布図（ｄ）を作成すると、明るさむらのない領域と識別ができない。なお、散布図（ｄ）では、検出画像を縦軸に、参照画像を横軸にして明るさをプロットしている。これに対し，本発明では対象画像から２７０２のようにパターンまたは領域に応じて部分画像を抽出し，その領域毎に明るさの補正量を算出する（図１２−１２０２）。補正量の算出方法の一例を（数１）に示す。
【００４６】
【数１】
2005321237.tif 000003
【００４７】
ここで、Ｆ(i,j)、Ｇ(i,j)はそれぞれ、位置合せ後の検出画像、参照画像の位置（i,j）での明るさである。そして、（数２）のように補正量を算出し、
【００４８】
【数２】
2005321237.tif 000004
【００４９】
領域の補正を、参照画像に対して（数３）のように行う（１２０３）。
【００５０】
【数３】
2005321237.tif 000005
【００５１】
ここで，図２８の１２０２に示すように，領域毎に濃淡差のヒストグラムを求め（１２０２−１），ヒストグラムのピーク位置が０となるようなオフセット量をその領域の補正量として算出し補正してもよい（１２０２−２）。
【００５２】
次に、半導体ウェハのパターンに依存してランダムに生じる明るさの違いを合わせ込むための補正量を、画素毎に算出する。その手順の一例を、図１４、図１５に示す。
【００５３】
先ず、図１４に処理のフローを示す。図１２のステップ１２０３で説明した領域ごとに明るさ補正を行った画像に対して、各画素の持つ特徴量を算出し，その特徴量を軸とするＮ次元の特徴空間へマッピングし（１４−１）（図２８の（ｆ））、次に特徴空間をセグメントに分割し（１４‐２）、分割したセグメントごとに補正量を演算する（１４−３）。
【００５４】
次に、図１４に示した処理フローに基く処理を図１５に示す。（ａ）の１５０１，１５０２は１２０３により補正を行った参照画像，検出画像であるが，繰返しのドットパターンで明るさむらが生じている。これにより，散布図（ｂ）に示すようにデータの分布が広がり，欠陥は検出できない。これらの画像に対し，各画素の特徴量を算出し，図１５（ｃ）に示すように特徴空間へマッピングする（図１４の１４−１に対応）。図１５（ｃ）は２次元の特徴空間を例に取ったものだが，図２８（ｆ）はＮ次元の特徴空間に各画素をマッピングした例である。特徴量は各画素のコントラスト、明るさ、２次微分値、対応画素間の濃淡差、近傍画素を用いた分散値など、その画素の特徴を示すものなら何でもよい。全ての特徴量を用いた空間にマッピングしてもよいし，欠陥の判別に有効な特徴量を選択し，マッピングしてもよい。次に、特徴空間を複数のセグメントに分割し（図１４の１４−２）、セグメント毎に、そのセグメントに属する画素の統計量を用いて補正量を算出する（図１４の１４−３）。図１５（ｄ）（ｅ）は，（ｂ）の画像全体の散布図から特徴空間で分割したセグメントに含まれる画素を抽出し，生成された散布図である，そして，（ｄ）（ｅ）・・・のように各セグメントの散布図から、補正量を演算する。これにより，図２８（ｅ）の濃淡差画像が示すようにドットパターンの明るさむらは補正され，欠陥のみが検出可能となる。
【００５５】
図１６は、図１５（ｃ）の特徴空間をセグメント分割するための分割方法の一例を示している。本発明では、対象画像により自動でセグメント分割を行う。図１６（ａ）の上のグラフは明るさと濃淡差による特徴空間の例であり、下のグラフは各明るさ（輝度値）の頻度を示すヒストグラムであり、明るさ方向の分割しきい値を対象画像の明るさのヒストグラムから決定する例である。
【００５６】
図１７に、その処理手順の一例を示す。まず、対象領域内の輝度値のヒストグラムを算出する（１７−１）。これは検出画像、もしくは参照画像から算出してもよいし、２枚の画像の平均値から算出してもよい。次に輝度ヒストグラムを平滑化し、小ピークなどを除去し（１７−２）、平滑化されたヒストグラムの微分値を算出する（１７−３）。次に明るさの小さい方から、微分値をみていき、値が正になる輝度値をStart、次に負になる輝度値をEndとする（１７−４）。そして、StartからEndの範囲内で微分値が最大となる輝度値を分割のためのしきい値とする（１７−５）。これにより、図１６（ａ）に示すようにヒストグラムの谷の部分で分割が行われる。これは、対象領域内のパターンに応じてセグメント分割がなされることを示している。このように画像内のパターンに応じて分割することも可能であるが、図１６（ｂ）に示すようにユーザが設定した固定値で分割することも可能である。
【００５７】
図２７は，図１４で示した画素毎の補正量算出処理の挙動の一例を，散布図を用いて示したものである。検出画像（ａ），参照画像（ｂ）には大きな明るさの違いがあり，差画像（ｃ）に示す通り，差は大きくなる。（ｄ）は（ａ）と（ｂ）による散布図である。これを（ｅ）のように特徴量で分解し，散布図毎に補正量を算出し，補正を行うことにより，（ａ）と（ｂ）の散布図は，（ｆ）のようデータの広がりが抑制され，補正後の差画像（ｇ）に示すように差が小さくなる。
【００５８】
セグメント分割により分解された各散布図の補正量は、図１５（ｄ）、１５（ｅ）に示すように散布図内で最小二乗近似により直線式を求め、その傾きとｙ切片を補正量とする。また、補正量は各セグメントに属する画素から前述の（数１）、（数２）のように求めてもよい。また、特徴空間を形成するための領域は最小１×１画素以上の任意に設定可能である。ただし、最高周波数である１×１画素で補正を行うと、欠陥も合わせ込んでしまうので、やや大きめの領域に設定するようにする。
【００５９】
以上に示したように（１）領域毎に明るさを補正することにより背景の明るさむらに埋没した欠陥を顕在化，（２）画素毎に明るさを補正することによりランダムに生じる明るさむらを抑制する階層的な明るさ補正により欠陥のみを検出することが可能となる（図２８−（ｅ））。
【００６０】
図１８に本方式による明るさ補正結果を示す。（ａ）は位置合せを行った後の差画像である。○で囲った部分に欠陥がある。（ｄ）は欠陥部を含む１Ｄ−１Ｄ‘の位置合せ後の２枚の画像の輝度波形とそのときの差分値である。検出画像には欠陥があり、その部分は周囲に比べて明るくなっているが、参照画像は全体に明るく、欠陥部分の差分値は周囲に比べ、小さくなっている。これに対し、（ｂ）は領域毎に明るさの違いを補正した後の差画像である。帯状の明るさのむらが領域として抽出され，補正されている。この結果、（ｅ）に示すように輝度値が合わせ込まれ、背景の色むらに埋没していた欠陥が顕在化される。しかし、繰り返しパターンに依存し、ランダムに生じる明るさの違いは補正できていない。
【００６１】
（ｃ）は画素毎に，この例では（ｂ）の画像全域の統計量より補正量を演算し、明るさの違いを補正した後の差画像である。このように、２つ以上の異なる処理方式で階層的に明るさ補正量を算出することにより、発生状況の異なる明るさの違いを補正し、強い明るさむらの中に埋没した微弱信号の欠陥を顕在化、検出することが可能となる。
【００６２】
本発明は，より強い明るさむらがある場合においても対応可能である。図１９（ａ）は検出画像，（ｂ）は参照画像であるが，下地１９０１に明るさむらがあり，差画像（ｃ）では，１９０１に対応する部分の差が大きくなっている。（ａ）（ｂ）による散布図データの分布は一部の明るさ領域で（ｄ）のように広がる。これに対し，位置のずれは図１３に示した通り，通常は明るさむらの補正の前に行われるため，明るさのずれ量が大きいと，正しい位置ずれ量が算出できない可能性がある。一方，位置のずれがあると画像間で画素の対応がとれず，正しい明るさの補正量が算出できない。このため，本発明では，位置のずれと明るさのずれを同時に合わせ込む手段をもつ。
【００６３】
図２０は，図１９に比べ，更に強い明るさむらがある例である。下地２００１は（ａ）の方が明るいが，その上のパターン２００２は明るさの違いがほとんどない。さらに上のパターン２００３は（ａ）の方が明るいものと暗いものが混在し，明暗が（ｂ）に対して反転している。このような画像（ａ）と（ｂ）の散布図は（ｄ）に示すように正の相関と負の相関がある。これに対して，明るさの差が最小となるように位置ずれ量を算出する濃淡差の二乗和をとる方式では、正しい位置ずれ量は算出できない。また，明るさむらにロバストな正規化相関であっても，正の相関と負の相関が混在するような画像では正しい位置ずれ量は算出不能である。図２０（ｅ）は（ａ）と（ｂ）の相関係数であるが，全体に値が小さく一意に位置ずれ量が算出できないことを示している。
【００６４】
このため本発明では、図２１に示すように，位置ずれ量を１つ前のユニットの位置ずれ量（α，β）を中心として，周囲へ位置補正量を振り（（αi，βi））ながら，位置補正（Ｓ２１１）→明るさむら補正量演算（Ｓ２１２）→明るさ合わせ（Ｓ２１３）→散布図評価（Ｓ２１４）  を繰り返す。そして，各位置補正時の散布図データ（ａ−１），（ａ−ｉ），（ａ−ｎ）のうちで、ばらつきが最も小さくなるもの（ａ−ｉ）を適用して検査を行う。散布図データのばらつきは各画素の差の二乗和で算出する。
【００６５】
この時，図２９に示すように，まず，図１５に示したように各画素の特徴量から散布図を分解し，散布図毎に図２１の処理を繰り返すことも可能である。すなわち散布図毎に位置ずれ量を振り（（αi，βi））ながら，位置補正（２９０１）→対応画素について明るさむら補正量演算（２９０２）→明るさ補正（２９０３）→散布図評価（２９０４）を繰り返し，散布図データの広がりが最も小さくなる，すなわち画像間の対応する画素の差の総和が最小となるときの位置ずれ量（（αi，βi），明るさ補正量を適用する（２９０５）。
【００６６】
また，別の方法としては，図２２に示すように，対象画像である検出画像２２０１と参照画像２２０２に微分フィルタをかけ（Ｓ２２１），画像からパターンのエッジを検出し（Ｓ２２２），エッジに相当する画素のみを用いて位置補正量（α，β）を算出し（Ｓ２２３）、これに基いて位置を補正して（Ｓ２２４）画像Ｆ‘（２２０３）と画像Ｇ‘（２２０４）とを求める。これにより，明るさむらの影響を排除した位置ずれ量の算出が可能となり、この結果を用いて明るさ村補正量を演算して求めることができる（Ｓ２２５）。（Ｓ２２２）でエッジを検出するときには，隣接画素間の明るさ勾配の急峻な画素，すなわち一次微分値が大きい画素や，二次微分値の０交差画素などを選択する。
【００６７】
ここで，位置ずれ量算出に有効な画素の選択は，明るさ勾配の大きいエッジ部に限らない。図３２に示すように，検出画像２２０１，参照画像２２０２の各画素について，隣接画素との差分を算出し（Ｓ３２１）、算出した差分値の符号配列を算出する（Ｓ３２２）。ここでは，簡単のため画像データを一次元配列として考えると，検出画像，参照画像の各画素f(i)，g(i)の隣接画素との差df(i)，dg(i)を（数４）のように算出し，
【００６８】
【数４】
2005321237.tif 000006
【００６９】
その符号の配列cf(i)，cg(i)を求める。
【００７０】
if df(i)≧0  then cf(i)=1  else cf(i)=0
if dg(i)≧0  then cg(i)=1  else cg(i)=0
そして，符号の配列が近傍で（もともと画像間には位置のずれがあるため）一致している画素を選択して位置補正量（α,β）を算出し（Ｓ３２３）、位置補正を行う（Ｓ３２４）。これにより，明暗が一部反転しているパターンを排除して位置補正を行うことが可能となる。
【００７１】
更に、位置ずれ量算出に有効な画素選択の指標として，図３３に示すように検出画像２２０１，参照画像２２０２の各画素f，gについて，ｎ個の近傍画素f(i)，g(i)をから分散値fs，gsを（数５）のように用いて算出し（Ｓ３３１），
【００７２】
【数５】
2005321237.tif 000007
【００７３】
両者が近い画素を選択して位置補正量（α,β）を算出し（Ｓ３３３）、位置補正を行う（Ｓ３３４）ようにしても良い。ここで，
【００７４】
【数６】
2005321237.tif 000008
【００７５】
はｎ個の近傍画素の平均輝度である。
【００７６】
以上に位置ずれ量算出を行う画素の選択方法の例を述べたが，選択の指標は他のものでもよい。本発明は，いずれかの指標により画素を選択すること，言い換えれば，位置ずれ量算出に悪影響を及ぼす画素を排除することにより，高精度な位置ずれ量の算出を実現するものである。
【００７７】
また，別の方法としては，図２３に示すように，検出画像２３０１，参照画像２３０２それぞれで領域抽出（Ｓ２３１）を行い，対応する領域毎に位置補正量算出（Ｓ２３２），位置補正（Ｓ２３３），明るさむら補正量算出（Ｓ２３４）、明るさむら補正（Ｓ２３５）を行う。これにより，正の相関のある部分と負の相関のある部分に分割して位置と明るさのずれ補正量算出を行うことが可能となる。
【００７８】
また，別の方法としては，図２４に示すように，検出画像２４０１，参照画像２４０２それぞれで領域抽出を行い（Ｓ２４１），対応する領域毎に位置補正量と明るさ補正量をパラメータとして振り，差の二乗和が最小となる位置補正量，明るさ補正量を適用する（Ｓ２４２）。
【００７９】
また，別の方法としては，図３０に示すように，検出画像３００１，参照画像３００２それぞれで領域抽出及び，画素毎の特徴量による散布図の分解を行う（Ｓ３０１）。そして領域情報と特徴量により分解した画像の散布図毎に位置補正量と明るさ補正量をパラメータとして振り，差の二乗和が最小となる位置補正量，明るさ補正量を適用する（Ｓ３０２）。
【００８０】
また，別の方法としては，図２５に示すように，散布図（ａ）をハフ変換し，負の相関と正の相関に分布データを分離する（ｂ）（ｃ）（ｄ）。これにより，分離した分布データ毎に散布図データのばらつきが最小になるように位置補正量，明るさ補正量を算出する。
【００８１】
以上に説明したような、検査画像に対して多段階の明るさ補正を行うことの効果を、例えば、ＣＭＰ工程を経て、表面が光学的に透明で平坦な絶縁膜で覆われた半導体ウェハに形成されたパターンを検査する場合について説明する。ＣＭＰ加工後のウェハを検出部１３で撮像して得られた画像は、上記絶縁膜の厚さのウェハ面内でのばらつきやチップ内パターンの疎密により生じる反射光量の分布等の影響を受けて、ウェハの場所によって明るさがばらついた画像となる。この明るさのばらつきがある画像に対して、上記に説明したような方法で異なる単位で多段階に明るさ補正を行うことにより、画像間の明るさのばらつきの影響を低減して欠陥を顕在化することができるので、欠陥の検出率を向上させることが可能になる。
【００８２】
また、チップ間の膜厚の違い、ステージ速度むらによる蓄積光量の違い、照明変動など様々な要因により発生するチップ間の明るさの違い（色むら）を異なる複数の方式により明るさを合わせ込む（即ち、異なる複数の領域毎に補正量を算出する）ことにより、強い明るさむらの中に埋没した微弱信号の欠陥を顕在化し、検出することが可能となる。
【００８３】
これまでに説明した本発明による画像比較処理部１５の処理は、ＣＰＵによるソフト処理で実現するが、正規化相関演算や特徴空間の形成などコアとなる演算部分をLSIなどによるハード処理にすることも可能である。これにより、高速化が実現できる。また、ＣＭＰなど平坦化プロセス後のパターンの膜厚の微妙な違いや、照明光の短波長化により比較ダイ間に大きな明るさの違いがあっても、本発明により、２０ｎｍ〜９０ｎｍ欠陥の検出が可能となる。
【００８４】
さらに、ＳｉＯ2をはじめ、ＳｉＯＦ、ＢＳＧ，ＳｉＯＢ、多孔質シリア膜、などの無機絶縁膜や、メチル基含有ＳｉＯ2、ＭＳＱ，ポリイミド系膜、パレリン系膜、テフロン（登録商標）系膜、アモルファスカーボン膜などの有機絶縁膜といったｌｏｗ  k膜の検査において、屈折率分布の膜内ばらつきによる局所的な明るさの違いがあっても、本発明により、２０ｎｍ〜９０ｎｍ欠陥の検出が可能となる。
【００８５】
次に，本発明によるパターン検査装置を用いた半導体装置の製造システムの一例を図３１を用いて説明する。ウェハ上の回路パターンは複数の装置Ａ，Ｂ，・・・Ｅにより順次形成される（３１０１）。そして本発明によるパターン検査装置を用いて各製造装置による工程後に検査及び欠陥分類を行うことにより，どのような欠陥が各装置を経てどのように発生するかを追跡することが可能となる。例えば，装置Ｂによる工程を経たウェハを検査し，検出した欠陥は，前装置Ａからの持込み欠陥と装置Ｂ内で発生した欠陥からなり，装置Ａによる工程の後に検査して得られた欠陥データと照合すれば，装置Ｂ内で発生した欠陥か装置Ａからの持込み欠陥かどうかがわかる（３１０２）。ここで，前装置Ａからの持込み欠陥のうち，異物については装置Ｂで形状欠陥或いは変色を引き起こさないものもあり，致命的な異物の付着したパターンは必ず次以降の装置で形状欠陥或いは変色となるが，致命的でない異物の付着したパターンは以降の装置を経ても形状欠陥などにならず，良品である。従って，本構成をもつパターン検査装置により異物と分類された欠陥について，その座標を記憶しておき，次の装置を経た後に，再度欠陥検出，分類を行うことにより，異物が致命性のあるものになるか否かを判定することが可能になる。これにより製造装置の状態をより的確に把握することが可能となる。
【００８６】
以上、本発明の一実施例を半導体ウェハを対象とした光学式外観検査装置における比較検査画像を例にとって説明したが、電子線式パターン検査における比較画像にも適用可能である。また、検査対象は半導体ウェハに限られるわけではなく、画像の比較により欠陥検出が行われているものであれば、例えばＴＦＴ基板、ホトマスク、プリント板などでも適用可能である。
【図面の簡単な説明】
【００８７】
【図１】検査装置の構成の一例。
【図２】複数検出系の一例。
【図３】複数画像比較方式の一例。
【図４】比較チップ間に明るさむらがあった時の検査対象画像と従来のしきい値設定方法の一例。
【図５】画像比較処理単位の一例
【図６】検査対象となる半導体ウェハ。
【図７】チップの構造の一例。
【図８】検出系，比較処理方式最適化の例。
【図９】各検出系の画像定量値表示の一例。
【図１０】検出系設定フローの一例。
【図１１】複数検出系，比較，分類方式による検査結果表示の一例。
【図１２】領域単位で発生する明るさむらの合わせ込み手順の一例。
【図１３】補正量演算部１０８の処理手順の一例。
【図１４】ランダムに発生する明るさむらの合わせ込み手順の一例。
【図１５】ランダムに発生する明るさむらの合わせ込む例。
【図１６】特徴空間のセグメント分割の一例。
【図１７】特徴空間のセグメント分割処理フローの一例。
【図１８】明るさの違いを合わせ込む処理の一例。
【図１９】強い明るさむらの一例。
【図２０】強い明るさむらの一例。
【図２１】強い明るさむらに対する位置合わせと明るさ合せの一例。
【図２２】強い明るさむらに対する位置合わせと明るさ合せの一例。
【図２３】強い明るさむらに対する位置合わせと明るさ合せの一例。
【図２４】強い明るさむらに対する位置合わせと明るさ合せの一例。
【図２５】散布図からハフ変換により画像を分割する処理の一例。
【図２６】画像比較方式最適化の例。
【図２７】明るさむらの画素毎合わせ込み手順の一例。
【図２８】段階的明るさむらの合わせ込み手順の一例。
【図２９】強い明るさむらに対する位置合わせと明るさ合せの一例。
【図３０】強い明るさむらに対する位置合わせと明るさ合せの一例。
【図３１】本発明による半導体製造システムを示す図。
【図３２】強い明るさむらに対する位置合わせと明るさ合せの一例。
【図３３】強い明るさむらに対する位置合わせと明るさ合せの一例。
【符号の説明】
【００８８】
１１…試料、１２…ステージ、１３…検出部、１０１…光源、１０２…照明光学系、１０３…対物レンズ、１０４…イメージセンサ、１０５…ＡＤ変換部、１４…画像編集部、１０６…前処理部、１０７…画像メモリ、１５…画像比較処理部、１０８…補正量算出部、１０９…画像比較部、１１０…パラメータ設定部、１１１…欠陥分類部，１６…全体制御部、１１２…ユーザインターフェース部、１１３…記憶装置、１１４…メカニカルコントローラ、７０…チップ、７２…周辺回路部、７１…メモリマット部、４１…検出画像、４２…参照画像
【図１】
2005321237.tif 000009
【図２】
2005321237.tif 000010
【図３】
2005321237.tif 000011
【図４】
2005321237.tif 000012
【図５】
2005321237.tif 000013
【図６】
2005321237.tif 000014
【図７】
2005321237.tif 000015
【図８】
2005321237.tif 000016
【図９】
2005321237.tif 000017
【図１０】
2005321237.tif 000018
【図１１】
2005321237.tif 000019
【図１２】
2005321237.tif 000020
【図１３】
2005321237.tif 000021
【図１４】
2005321237.tif 000022
【図１５】
2005321237.tif 000023
【図１６】
2005321237.tif 000024
【図１７】
2005321237.tif 000025
【図１８】
2005321237.tif 000026
【図１９】
2005321237.tif 000027
【図２０】
2005321237.tif 000028
【図２１】
2005321237.tif 000029
【図２２】
2005321237.tif 000030
【図２３】
2005321237.tif 000031
【図２４】
2005321237.tif 000032
【図２５】
2005321237.tif 000033
【図２６】
2005321237.tif 000034
【図２７】
2005321237.tif 000035
【図２８】
2005321237.tif 000036
【図２９】
2005321237.tif 000037
【図３０】
2005321237.tif 000038
【図３１】
2005321237.tif 000039
【図３２】
2005321237.tif 000040
【図３３】
2005321237.tif 000041